(57)【要約】【課題】ハンドプレス機について、小さくても大きなプレス力を発揮できることに加え、ハンマーを用いて行う作業にも使用できるようにする。【解決手段】カムシャフト３１と、カムシャフト３１に接続した操作レバー３３と、載置台１０と、載置台１０上方で上下にスライド動作可能に配置されたスライド体３２とを備え、操作レバー３３を旋回させることで回転したカムシャフト３１によりスライド体３２を押し下げて載置台１０上のワークに対しプレス動作を行うハンドプレス機１であって、そのスライド体３２のプレスバー３２ｃ下端側がワークの加工に用いる工具を連結・固定するための固定手段として、載置台１０上面との間で前記工具を配設可能な間隔を有して設けられており、先端側を下向きした前記工具の基端側が前記固定手段を介してスライド体３２に固定された状態で操作レバー３３を押し下げることで、前記ワークに所定の加工を実施可能なものとした。【選択図】図１
2016132013.tif 000002
【特許請求の範囲】
【請求項１】
本体の所定位置で両端側を軸支されるカムシャフトと、該カムシャフトに対し中心軸線の直角方向から接続された操作レバーと、前記本体の所定位置に設けられたワーク載置部と、該ワーク載置部上方で上下にスライド動作可能に配置されたスライド体とを備え、操作レバー先端側を手で所定方向に旋回させることにより回転した前記カムシャフトで前記スライド体を押し下げて前記ワーク載置部に載置したワークに対しプレス動作を行うハンドプレス機において、前記スライド体には、その下端側に前記ワークの加工に用いる工具を連結・固定するための固定手段が前記ワーク載置部上面との間で前記工具を配設可能な間隔を有して設けられており、先端側を下向きした前記工具の基端側が前記固定手段を介してスライド体に固定された状態で前記操作レバーを押し下げることにより、前記工具の下方に位置する前記ワークに対し所定の加工を実施可能とされている、ことを特徴とするハンドプレス機。
【請求項２】
前記カムシャフトの偏芯した大径部分であるカム部には、その外周面に内周面を接しながら内周側と外周側との間で周方向の滑りを生じさせる管状のニードルベアリングが設けられており、該ニードルベアリングの外周面を前記スライド体の所定位置に押圧しながらプレス動作を行うものとされている、ことを特徴とする請求項１に記載したハンドプレス機。
【請求項３】
前記固定手段は、その下面側に縦向きの軸状に形成された工具の上端側を下から挿入させる挿入孔が開口しており、所定の締結機構で前記工具の挿入部分を締結して固定するものとされている、ことを特徴とする請求項１または２に記載したハンドプレス機。
【請求項４】
前記固定手段は、縦向きの軸状に形成された介装部材の上端側を前記挿入孔に挿入・固定することによっても構成され、前記挿入孔に固定された前記介装部材の下端側を所定の工具の基端側に当接又は連結した状態で作業を実施可能とされている、ことを特徴とする請求項３に記載したハンドプレス機。
【発明の詳細な説明】
【技術分野】
【０００１】
本発明は、手動で操作レバーを動かすことでワークに圧力を加えるハンドプレス機に関し、殊に、回転するカムシャフトでスライド体を押し下げてプレス動作を行うハンドプレス機に関する。
【背景技術】
【０００２】
操作レバーの先端側を手で押し下げて作動させ、駆動源を用いることなくワークを圧縮したり切断したりするハンドプレス機は、特開平７−２２３０９４号公報や実登第３０２２３５４号公報に記載されているように周知である。前者のハンドプレス機は、操作レバーの基端軸における回動を、ギヤ機構を介してプレス体の直線動作に変換するギヤ式のものであるが、部品点数が多く全体として重く嵩張ることから、持ち運びには不便である
【０００３】
これに対し、後者のハンドプレス機は、基端側を軸支された操作レバーの途中にプレス体を配置したテコ式のものであることから、部品点数が少なく軽くコンパクトであるため、持ち運びにも便利である。しかし、このように単純な構造のテコ式ものにあっては、大きなプレス力を発揮しにくいことに加えプレス動作における微調整を行いにくいという難点がある。
【０００４】
そこで、レバー操作により回転するカムシャフトでスライド体（プレス体）を押し下げてワークに圧力を加えるハンドプレス機も普及するようになった。このようにカムシャフト式を採用することで、プレス動作における微調整を行いやすくなるとともに、テコ式のものと比べてより大きなプレス力を発揮できるようになる。ところが、この方式ではカムシャフトが回転しながら偏芯したカム部外周面をプレス体上面に押し当てて押し下げる構成であるため、カム部外周面とプレス体上面との間で生じた摩擦抵抗によるエネルギーロスが大きくなりやすく、同等の入力を行った場合に発揮されるプレス力がギヤ式のものよりも小さいと言われている。
【０００５】
一方、上述したハンドプレス機は、レザークラフトの型抜き作業にも使用されているが、型抜き後のレザーに対し専用工具で菱目打ちを行ったり、カシメや刻印を設けたりする工程を要するのが一般的である。その場合、工具の基端側をハンマーで叩きながら作業を進めるが、その際に一方の手で工具を支えながら他方の手のハンマーで連続的に叩くことから、ハンマーを持つ手に疲労が溜まりやすいことに加え、連続した打音が周辺への迷惑となりやすかった。そのため、このような細かい作業も同じハンドプレス機を用いて行えれば極めて便利である。
【先行技術文献】
【特許文献】
【０００６】
【特許文献１】特開平７−２２３０９４号公報
【特許文献２】実登第３０２２３５４号公報
【発明の概要】
【発明が解決しようとする課題】
【０００７】
本発明は、上記のような問題を解決しようとするものであり、ハンドプレス機について、小さくても大きなプレス力を発揮できることに加え、ハンマーを用いて行う作業にも使用できるようにすることを課題とする。
【課題を解決するための手段】
【０００８】
そこで、本発明は、本体の所定位置で両端側を軸支されるカムシャフトと、このカムシャフトに対し中心軸線の直角方向から接続された操作レバーと、本体の所定位置に設けられたワーク載置部と、このワーク載置部上方で上下にスライド動作可能に配置されたスライド体とを備え、操作レバー先端側を手で所定方向に旋回させることにより回転したカムシャフトでスライド体を押し下げてワーク載置部に載置したワークに対しプレス動作を行うハンドプレス機において、前記スライド体には、その下端側にワークの加工に用いる工具を連結・固定するための固定手段が前記ワーク載置部上面との間で前記工具を配設可能な間隔を有して設けられており、先端側を下向きした前記工具の基端側が前記固定手段を介してスライド体に固定された状態で前記操作レバーを押し下げることにより、前記工具の下方に位置するワークに対し所定の加工を実施可能とされている、ことを特徴とするものとした。
【０００９】
例えば、レザークラフトにおいては、菱目打ちやカシメの固定等、型抜き後においてハンマーで専用の工具を叩きながら行う作業が複数種類あるところ、上述のようにハンドプレス機のスライド体に工具を連結・固定するための固定手段を設けるとともに、その工具を配設可能な間隔を固定手段とワーク載置部との間に確保した構成としたことで、レザークラフト等において型抜き作業を行うだけではなく、従来はハンマーを用いていたその後の細かい作業についても、小さな力で騒音を伴うことなく容易に実施できるものとなる。
【００１０】
この場合、そのカムシャフトの偏芯した大径部分であるカム部には、その外周面に内周面を接しながら内周側と外周側との間で周方向の滑りを生じさせる管状のニードルベアリングが設けられており、このニードルベアリングの外周面をスライド体の所定位置に押圧しながらプレス動作を行うものとすれば、従来は摩擦抵抗でエネルギーロスを生じていたカム部外周面とスライド体との間に、その摩擦抵抗を軽減するベアリング部品が存在することでプレス時のエネルギーロスを最小限に抑えることができ、同レベルの入力でもより大きなプレス力を発揮可能となり、且つ、ボールベアリングと比べて管状構造を薄くできることから、装置のサイズアップを抑えやすいものとなる。
【００１１】
また、上述したハンドプレス機において、前記固定手段は、その下面側に縦向きの軸状に形成された工具の上端側を下から挿入させる挿入孔が開口しており、所定の締結機構で前記工具の挿入部分を締結して固定するものとされている、ことを特徴としたものとすれば、連結・固定作業が容易なものとなる。
【００１２】
この場合、前記固定手段は、縦向きの軸状に形成された介装部材の上端側を前記挿入孔に挿入・固定することによっても構成され、前記挿入孔に固定された前記介装部材の下端側を所定の工具の基端側に当接又は連結した状態で作業を実施可能とされている、ことを特徴としたものとすれば、例えば短いサイズの工具を用いる場合に、介装部材を介装することで工具の先端側とワーク載置面との間隔の調整が容易に行えるものとなる。
【発明の効果】
【００１３】
ハンドプレス機のスライド体に工具を連結・固定するための固定手段を設けた本発明によると、小さくても大きなプレス力を発揮できることに加えハンマーを用いて行う作業にも使用できるものとなる。
【図面の簡単な説明】
【００１４】
【図１】本発明における実施の形態であるハンドプレス機の斜視図である。
【図２】図１のハンドプレス機のカムシャフトの軸線に沿う拡大した縦断面図である。
【図３】図１のハンドプレス機に工具を連結・固定してカシメやホックを設ける作業を行う場合の側面図である。
【図４】図１のハンドプレス機に工具を連結・固定して菱目打ち作業を行う場合の側面図である。
【図５】図２のハンドプレス機において、レザークラフトの型抜き作業を行う際に、工具に適した介装部材を介装する場合を説明するための側面図である。
【発明を実施するための形態】
【００１５】
以下に、図面を参照しながら本発明を実施するための形態を説明する。
【００１６】
図１は、本実施の形態であるハンドプレス機１の斜視図を示している。このハンドプレス機１は、その用途としてレザー等のシート状部材における型抜きカット作業を想定したものであるが、レザークラフトの場合等、型抜き後において従来はハンマーで所定の工具を叩きながら行う菱目打ちやカシメ・ホックの配置作業、或いは刻印打設等の作業等にも使用できる点を特徴としており、且つ、少ない部品点数により軽量でコンパクトなものとなっている。
【００１７】
このハンドプレス機１は、ワークを載せる載置部としてのベースプレートからなる載置台１０と、プレス機構３を構成する本体ケーシング３０、側板２１ａ，２１ｂ、底板２２と、載置台１０上に垂直に立設され背後に補助板２０を有しながらこれらを支持する支持板２を備えている。また、そのプレス機構３は、図２の断面図に示すように、側板２１ａ，２１ｂで両端側を軸支されたカムシャフト３１と、カムシャフト３１の両端側にその中心軸線に対し直角方向から接続されたアーム３３ｂ及びその先端側のハンドル３３ａからなる操作レバー３３と、載置台１０上方で上下にスライド動作可能に配置されカムシャフト３１を左右に貫通してなるプレス部材としてのスライド体３２とを備えている。
【００１８】
図１、図２は、ハンドプレス機１を動作させる前段階のスライド体３２が上死点に位置している状態を示しているが、図３に示すように、その操作レバー３３の先端側（ハンドル３３ａ）を手で把持して図中時計回りに旋回動作させることにより、カムシャフト３１が回転してスライド体３２を押し下げ、載置台１０上の敷板５００，５００に載せたレザー等のワーク１００ａに対し、上からプレス動作を行うようになっている。
【００１９】
そして、図２の断面図に示すように、そのカムシャフト３１において回転軸に対し中心軸を偏芯して設けられ両端側の軸部３１ｂ，３１ｃの間でこれらよりも大径に形成された部分であるカム部３１ａ（矢印で示した側面部分図を参照）の外周面に、その外周面に内周面を接した状態で内周側と外周側との間で周方向の滑りを生じさせる管状のベアリング部品であるニードルベアリング３５ａ，３５ｂが設けられており、そのニードルベアリング３５ａ，３５ｂの外周面でスライド体３２を構成する下部材（プレス板）３２ａ及び上部材３２ｂの内面に当接しながら、下部材３２ａ下面から垂設したプレスバー３２ｃを上下させて作業を行うものとしている。
【００２０】
即ち、従来例において回転による摩擦抵抗によりエネルギーロスを生じていた部分である、カムシャフト３１のカム部３１ａ外周面とスライド体３２の当接面との間に、その摩擦抵抗を軽減するためのニードルベアリング３５ａ，３５ｂを介装したことで、そのエネルギーロスを最小限に抑えるものとしており、同レベルの強さの入力でもより大きなプレス力の発揮が可能なものとなっている。
【００２１】
また、側板２１ａ，２１ｂの各軸孔で軸支される小径の軸部３１ｂ，３１ｃの外周面と、軸孔の内周面との間にもニードルベアリング３５ｃ，３５ｄが介装されており、カムシャフト３１における回転時の摩擦抵抗をさらに軽減しながら装置の耐久性を確保している。尚、このように周壁を薄肉に形成した管状のニードルベアリング３５ａ，３５ｂ，３５ｃ，３５ｄを採用したことにより、装置のサイズアップや重量増加を最小限に抑えることにも成功している。
【００２２】
図３は、レザークラフトにおいて、カシメやホックを設ける場合を示したものであるが、スライド体３２を構成しているプレスバー３２ｃは、その先端側が底板２２を貫通してその下面側に突出しており、その突出した先端面には縦向きの軸状に形成された工具の基端側（上端側）を挿入・固定するための図示しない挿入孔が開口しているとともに、その外周面には固定ネジ３２０が横向きに螺入されて工具の固定手段を構成している。
【００２３】
この例では、棒状に形成されたカシメ・ホック用の工具３０２をプレスバー３２ｃ先端側に連結・固定しており、カットされたレザー等のワーク１００ａが敷板５００，５００の上に載置された状態で、カシメ・ホックの設置作業を行うものとしている。尚、この作業に使用するハンドプレス機１は、スライド体３２のストロークが１４ｍｍ程度で下死点付近にて最大のプレス力を発揮するものであることが好ましい。
【００２４】
そして、図では敷板５００を２枚使用してワーク１００ａを最適な高さ位置になるように調整してある。以上のような構成としたことで、片手で操作レバー３３を操作しながら音を立てることなく僅かな力で作業を行えるようになっている。そのため、操作する手に過剰な負担をかけにくいことに加え、従来は夜間や早朝に連続したハンマー音を発することによる騒音問題を回避しやすいものとなった。
【００２５】
図４は、レザークラフトにおける菱目打ちの作業を行う場合を示している。この例では、スライド体３２のプレスバー３２ｃ先端側には底面が平坦な分銅状の工具３０１が連結・固定されており、その平坦な底面に菱目打ち用の工具４０１の基端側を当接させた状態にして、プレス動作によりレザー等のシート状のワーク１００ａに菱目を形成させるものである。
【００２６】
図５は、カット前のレザー等のシート状部材であるワーク１００ｂに対し型抜き作業でカットを行う場合を示している。この場合、敷板５００の上にワーク１００ｂを置いた状態として、その上にカット用の型４０２を置き、さらにその上に当て板としての金属板４１０を置いた状態とする。そして、図３で示したカシメ・ホック用の工具３０２を介装した状態で、その先端側に円柱状で底面が平坦なプレス用の工具３０３を連結してプレス作業を行うものとしている。
【００２７】
この場合、工具３０２は基端側の小径部３０２ｂをプレスバー３２ｂ先端側に連結し、先端側の小径部３０２ｃを工具の上面に開口した挿入孔に挿入して固定ネジ３０３ｂで締結して固定する。そして、型抜きの面積がある程度大きくて一度でカットできない場合は、プレス位置を複数箇所に分けてプレス動作を行えばよい。このように、複数回に分けてプレスすれば比較的大きな型抜きも可能であり、一つのハンドプレス機１で型抜きから型抜き後にハンマーを用いていた作業にも使用できることから、極めて便利なものとなっている。
【００２８】
以上、述べたように、ハンドプレス機について、本発明により、小さくても大きなプレス力を発揮できることに加え、ハンマーを用いて行う作業にも容易に使用できるようになった。
【符号の説明】
【００２９】
１  ハンドプレス機、２  支持板、３  プレス機構、１０  載置台、２１  ３１  カムシャフト、３２  スライド体、３２ｃ  プレスバー、３３  操作レバー、３５ａ，３５ｂ，３５ｃ，３５ｄ  ニードルベアリング、１００ａ，１００ｂ  ワーク、３０１，３０２，４０１  工具
【図１】
2016132013.tif 000003
【図２】
2016132013.tif 000004
【図３】
2016132013.tif 000005
【図４】
2016132013.tif 000006
【図５】
2016132013.tif 000007